(57)【要約】情報記録装置（１）は、記録型の情報記録媒体（１００）のグルーブ部（１０６）に情報を記録する情報記録装置（１）である。上記情報記録媒体の記録面のうち少なくとも再生設定領域に含まれるランド部（１０５）には、光照射を受けて当該再生設定領域（１０１ａ）におけるプッシュプル信号の検出量を低下させるように光学的特性が変化する記録層（１１２２）が積層されている。そして、情報記録装置（１）は、少なくとも再生設定領域に含まれるランド部に対して一様に光照射を行う特性変更手段（２０２）を備える。
2009028086.tif 000002
【特許請求の範囲】
【請求項１】
記録型の情報記録媒体のグルーブ部に情報を記録する情報記録装置であって、
前記情報記録媒体の記録面のうち少なくとも再生設定領域に含まれるランド部には、光照射を受けて当該再生設定領域におけるプッシュプル信号の検出量を低下させるように光学的特性が変化する記録層が積層されており、
前記少なくとも再生設定領域に含まれるランド部に対して一様に光照射を行う特性変更手段を備える
ことを特徴とする情報記録装置。
【請求項２】
前記特性変更手段は、前記ランド部に対する一様な光照射を前記グルーブ部に情報を記録した後に行う
ことを特徴とする請求の範囲第１項に記載の情報記録装置。
【請求項３】
前記特性変更手段は、前記少なくとも再生設定領域に含まれるランド部に対して一様に光照射を行うために、前記光照射における記録パワーを一定に保つ
ことを特徴とする請求の範囲第２項に記載の情報記録装置。
【請求項４】
前記特性変更手段は、当該再生設定領域おけるプッシュプル信号の検出量を低下させるために、前記光照射における記録パワーを周期的に変化させる
ことを特徴とする請求の範囲第２項に記載の情報記録装置。
【請求項５】
前記グルーブ部に情報を記録マークとして記録するにあたり、前記記録マークのうち最短記録マーク用の記録パルスのパルス幅を相対的に増加させるように記録ストラテジを変更する短マーク変更手段を更に備える
ことを特徴とする請求の範囲第２項に記載の情報記録装置。
【請求項６】
前記グルーブ部に情報を記録マークとして記録するにあたり、前記記録マークのうち長マークの記録パルスのパルス幅を相対的に低下させるように記録ストラテジを変更する長マーク変更手段を更に備える
ことを特徴とする請求の範囲第２項に記載の情報記録装置。
【請求項７】
前記長マークの記録パルスがマルチパルスである場合、
前記長マーク変更手段は、該マルチパルスのパルス幅を相対的に低下させるように前記記録ストラテジを変更する
ことを特徴とする請求の範囲第６項に記載の情報記録装置。
【請求項８】
前記長マークの記録パルスがノンマルチパルスである場合、
前記長マーク変更手段は、当該記録パルスの中間バイアス部の記録パワー又はパルス幅を相対的に低下させるように前記記録ストラテジを変更する
ことを特徴とする請求の範囲第６項に記載の情報記録装置。
【請求項９】
前記情報記録媒体に予め記録されているディスク情報を取得する取得手段と、
前記グルーブ部に情報を記録するための記録ストラテジ、及び、前記ランド部に対して一様に光照射を行うための記録パワーの組み合わせと、前記取得されるディスク情報との対応関係が予め定められた対応表に基づいて、該組み合わせを決定する記録条件生成手段とを更に備える
ことを特徴とする請求の範囲第２項に記載の情報記録装置。
【請求項１０】
前記対応表には、前記ディスク情報に加えて、前記記録条件生成手段の外部から入力される条件選択信号と、前記組み合わせとの対応関係も予め定められている
ことを特徴とする請求の範囲第９項に記載の情報記録装置。
【請求項１１】
当該情報記録媒体を再生する再生機器がプッシュプル信号を検出するものではない場合には、前記ランド部に対して一様に光照射を行わない
ことを特徴とする請求の範囲第２項に記載の情報記録装置。
【請求項１２】
記録型の情報記録媒体のグルーブ部に情報を記録する情報記録方法であって、
前記情報記録媒体の記録面のうち少なくとも再生設定領域に含まれるランド部には、光照射を受けて当該再生設定領域おけるプッシュプル信号の検出量を低下させるように光学的特性が変化する記録層が積層されており、
前記少なくとも再生設定領域に含まれるランド部に対して一様に光照射を行う特性変更工程を備える
ことを特徴とする情報記録方法。
【請求項１３】
グルーブ部に情報が記録される記録型の情報記録媒体であって、
記録面のうち少なくとも再生設定領域に含まれるランド部には、光照射を受けて当該再生設定領域おけるプッシュプル信号の検出量を低下させるように光学的特性が変化する記録層が積層されている
ことを特徴とする情報記録媒体。
【請求項１４】
請求の範囲第１項乃至第１１項のいずれかに記載された情報記録装置としてコンピュータを機能させることを特徴とするコンピュータプログラム。
【発明の詳細な説明】
【技術分野】
【０００１】
本発明は、例えばＣＳＳ等によって著作権が保護されたコンテンツを記録型の情報記録媒体に記録する情報記録装置、情報記録方法、及び該情報記録媒体の技術分野に関する。
【背景技術】
【０００２】
ＤＶＤ−Ｖｉｄｅｏフォーマットは、例えばＣＳＳ（Content Scramble System）等の暗号化システムによって著作権保護が実現されている。例えば、一般的な再生機は、「ＣＳＳによって著作権が保護されたコンテンツは原則的にＤＶＤ−ＲＯＭ等の再生専用の情報記録媒体にしか記録されていない」という前提のもとで動作する。こうして、違法なコンテンツのコピーが行われる虞のある記録型の情報記録媒体（例えばＤＶＤ−Ｒ／ＲＷ等）の再生が阻害される。【０００３】
この種の再生機には、記録型の情報記録媒体であるか否かを情報記録媒体から得られる再生信号からプッシュプル信号を検出し、そのプッシュプル信号の検出の有無、又は、プッシュプル信号の検出量に基づいて判断するものがある（特許文献１等を参照）。【０００４】
ところが、この種の再生機によれば、ＣＳＳによって著作権が保護されたコンテンツが記録型の情報記録媒体に正当に記録されている場合であっても、違法にコピーされたコンテンツであると誤判断する虞がある。【０００５】
かかる課題を解決するべく、本願発明者により、再生互換性を確保するための発明が出願されている（特許文献２参照）。この発明の構成によると、グルーブ部―ランド部間の高低差（つまりグルーブ部の深さ）を縮めることで、プッシュプル信号の検出量を低減でき、もって再生互換性を確保することが可能となる。【０００６】
【特許文献１】特開平８−２３５７６５号公報
【特許文献２】国際出願番号ＰＣＴ／ＪＰ２００６／３２１５３９号
【発明の開示】
【発明が解決しようとする課題】
【０００７】
しかしながら、例えば前述の特許文献2に開示されている技術には、以下のような問題が生じ得る。すなわち、基板の形状変化だけで、つまりグルーブ部―ランド部間の高低差を縮めるだけでプッシュプル信号の検出量を低減するには限界がある。例えば、グルーブ部―ランド部間の高低差を低減するほど、ガイド溝としての意義が失われるからである。【０００８】
本発明は、例えば上述した問題点に鑑みてなされたものであり、ＣＳＳ等によって著作権が保護されたコンテンツを記録した場合において、グルーブ部及びランド部を形成する意義を保ちつつも再生互換性を好適に確保可能な情報記録装置、情報記録方法、該情報記録媒体、及びコンピュータプログラムを提供することを課題とする。
【課題を解決するための手段】
【０００９】
本発明に係る情報記録装置は、上述の課題を解決するために、記録型の情報記録媒体のグルーブ部に情報を記録する情報記録装置であって、前記情報記録媒体の記録面のうち少なくとも再生設定領域に含まれるランド部には、光照射を受けて当該再生設定領域におけるプッシュプル信号の検出量を低下させるように光学的特性が変化する記録層が積層されており、前記少なくとも再生設定領域に含まれるランド部に対して一様に光照射を行う特性変更手段を備える。【００１０】
本発明によれば、先ず、記録型の情報記録媒体の記録面のうち少なくとも再生設定領域に含まれるランド部には、記録層が積層されているので、記録層が積層されていない場合に比べて、グルーブ部―ランド部間の高低差が縮まり、プッシュプル信号の検出量を低下できる。その結果、プッシュプル信号の検出の有無、又は、プッシュプル信号の検出量に基づいて、再生が不許可とされる可能性を低下できる。【００１１】
しかし、単に積層された記録層の厚みを利用するだけでは、上述したように、基板の形状変化を利用するだけの場合と同様、限界がある。すなわち、グルーブ部―ランド部間の高低差を低減すればするほど、ガイド溝としての意義が失われかねない。【００１２】
しかも、ランド部では反射層が剥き出し状態となっているのが通常である。仮にこの状態で、ランド部に対して一様に光照射をすると、反射層の特性上、プッシュプル信号の検出量が増加してしまうことが判明している。【００１３】
然るに、本願発明者の研究によれば、グルーブ部のみならず、ランド部にも記録層を積層しておけば、光照射を受けた該記録層の光学的特性が変化して、当該再生設定領域におけるプッシュプル信号の検出量を低下させることが判明している。これは、光照射を受けて記録層の屈折率が上昇し、当該再生設定領域に含まれるグルーブ部での反射光とランド部での反射光との干渉の様子が変化するからと考えられる。これにより、光ピックアップのような特性変更手段により、少なくとも再生設定領域に含まれるランド部に対して一様に光照射が行われた場合、当該再生設定領域におけるプッシュプル信号の検出量が更に低下する。つまり、プッシュプル信号の検出量を２段階で低減できる。言い換えれば、再生互換性を確保するうえで、グルーブ部―ランド部間の高低差を縮めるという構造的な要求を、ランド部に積層された記録層の光学的特性変化の利用によってカバーできる。【００１４】
したがって、ＣＳＳ等によって著作権が保護されたコンテンツを記録した場合において、グルーブ部及びランド部を形成する意義を保ちつつも再生互換性を好適に確保できる。【００１５】
尚、ランド部に積層される記録層の層厚は、グルーブ部及びランド部を形成する意義が保たれる範囲内であり、かつ、結果的に所望の再生互換性が得られるのであれば、特に限定されない。また、ランド部に積層される記録層の材質は、製造の容易の観点からは、グルーブ部に積層される通常の記録層の材質と同様でよいが、光照射を受けて当該再生設定領域におけるプッシュプル信号の検出量を低下させるように光学的特性が変化する限り、異なるものでもよい。換言すれば、ランド部に積層される記録層の材質は、光照射を受けて屈折率が上昇するものであれば、グルーブ部に積層される通常の記録層の材質と同じである必要はない。また、「一様に光照射を行う」とは、典型的には、ＤＣ記録あるいは正弦波や矩形波のような周期的に変化する記録パワーでランド部に光照射を行うことを示す。ただし、ここでいう「一様」とは、狭義の「一様」のみならず、広義の一様も含む。すなわち、完全に一様でなくとも、結果的に所望の再生互換性が得られるのであれば、ランド部の記録層の光学的特性（例えば屈折率）を定量的に示す値が部分的に所定閾値を下回る場合や、その変化の仕方が非周期的である場合も含む包括的な概念を指す。ここでいう「所定閾値」は、再生互換性の向上をどの程度望むかによって適宜変更されうる閾値として、予め実験又はシミュレーションにより定められる値あるいはフィードバック制御により事後的に変更可能な値である。ただし、結果的に互換性向上という効果が認められるのであれば、必ずしも当該所定閾値を求めることを要求する趣旨ではない。なお、「再生設定領域」とは、情報記録媒体に記録された記録情報を再生する際に、最初にアクセスされ、記録情報の再生を許可するか否かを識別するために用いられる領域である。「グルーブ部」と「ランド部」とは、通常は以下のように形成されている。すなわち、情報記録媒体の記録層の各記録領域には、センターホールを中心にスパイラル状或いは同心円状に、グルーブ部及びランド部が所定の高低差をもって、交互に設けられている。【００１６】
本発明に係る情報記録装置の一態様では、前記特性変更手段は、前記ランド部に対する一様な光照射を前記グルーブ部に情報を記録した後に行う。【００１７】
この構成によれば、再生互換性の向上を目的としたランド部に対する一様な光照射は、グルーブ部に情報を記録した後に行われる。つまり、グルーブ部に情報を記録する時には未だランド部に対する光照射が行われていないので、プッシュプル信号の検出量は低減されていない。よって、グルーブ部に情報を記録する時に、トラッキングを安定させることが可能である。このように、再生互換性を向上させつつも、良好な記録特性を確保できるという非常に優れた利点がある。尚、本構成は、グルーブ部に情報を記録する前に、ランド部に対する光照射を禁止する趣旨ではない。すなわち、記録前にランド部に対して光照射を行うことで、記録後にランド部への光照射が記録マークの光学的特性に与える影響を回避することもまた、本願請求の範囲全体には含まれるといえる。【００１８】
本発明に係る情報記録装置の一態様では、前記特性変更手段は、前記少なくとも再生設定領域に含まれるランド部に対して一様に光照射を行うために、前記光照射における記録パワーを一定に保つ。【００１９】
この態様によれば、少なくとも再生設定領域に含まれるランド部に対する光照射において、ＤＣ記録のように、記録パワーが一定に保たれる。つまり、一様に光照射が行われる。その結果、当該再生設定領域におけるプッシュプル信号の検出量が更に低下する。尚、ここでいう「記録パワーを一定に保つ」とは、狭義にはＤＣ記録を示すが、完全な一定を要求する趣旨ではない。結果的に所望の再生互換性が得られるのであれば、記録パワーが所定の振幅内で振動するような場合も含まれる、包括的な概念である。【００２０】
この態様では、前記特性変更手段は、当該再生設定領域おけるプッシュプル信号の検出量を低下させるために、前記光照射における記録パワーを周期的に変化させてもよい。【００２１】
このように構成すれば、前記少なくとも再生設定領域に含まれるランド部に対する光照射において、正弦波，矩形波またはこれらを重ね合わせた状態のように、記録パワーが周期的に変化させられる。すなわち、少なくとも再生設定領域に含まれるランド部に対して一様に光照射が行われる。その結果、当該再生設定領域におけるプッシュプル信号の検出量が更に低下する。尚、この場合の周期的に変化させる具体的態様は、マルチパルスで記録する場合と同様の趣旨により、ランド部のうち直接的に光照射される領域と、それにより光学的特性が変化する領域との違い、当該ランド部に積層された記録層の熱伝導特性、及び１周期における照射時と非照射時との期間比率等を考慮したうえで、結果的に所望の再生互換性が得られるものとするとよい。【００２２】
この態様では、前記グルーブ部に情報を記録マークとして記録するにあたり、前記記録マークのうち最短記録マーク用の記録パルスのパルス幅を相対的に増加させるように記録ストラテジを変更する短マーク変更手段を更に備えてもよい。【００２３】
このように構成すれば、仮にプッシュプル信号の検出量を低下させるためのランド部に対する光照射によってランド部の屈折率が変化し、短い記録マークの長さが長い記録マークに対して相対的に短くなったとしても、最短記録マーク用の記録パルスのパルス幅を増加することで、相対的に短くなる分記録マークをあらかじめ長くしておくことができるので、記録品質を維持しつつ、プッシュプル信号の検出量を一層低下させることが可能である。【００２４】
この態様では、前記グルーブ部に情報を記録マークとして記録するにあたり、前記記録マークのうち長マークの記録パルスのパルス幅を相対的に低下させるように記録ストラテジを変更する長マーク変更手段を更に備えてもよい。【００２５】
このように構成しても、長マーク用の記録パルスのパルス幅が相対的に短くなるので、記録品質を維持しつつ、プッシュプル信号の検出量を一層低下させることが可能である。【００２６】
この長マーク変更手段を更に備える態様では、前記長マークの記録パルスがマルチパルスである場合、前記長マーク変更手段は、該マルチパルスのパルス幅を相対的に低下させるように前記記録ストラテジを変更してもよい。【００２７】
このように構成すれば、長マークの記録パルスがＤＶＤ−Ｒの１倍速記録で採用されているマルチパルスの場合においても、記録品質を維持しつつ、プッシュプル信号の検出量を一層低下させることが可能である。【００２８】
この態様では、前記長マークの記録パルスがノンマルチパルスである場合、前記長マーク変更手段は、当該記録パルスの中間バイアス部の記録パワー又はパルス幅を相対的に低下させるように前記記録ストラテジを変更してもよい。【００２９】
このように構成すれば、長マークの記録パルスがＤＶＤ−Ｒの４倍速記録で採用されているノンマルチパルスの場合においても、記録品質を維持しつつ、プッシュプル信号の検出量を一層低下させることが可能である。【００３０】
この態様では、前記情報記録媒体に予め記録されているディスク情報を取得する取得手段と、前記グルーブ部に情報を記録するための記録ストラテジ、及び、前記ランド部に対して一様に光照射を行うための記録パワーの組み合わせと、前記取得されるディスク情報との対応関係が予め定められた対応表に基づいて、該組み合わせを決定する記録条件生成手段とを更に備えてもよい。【００３１】
このように構成すれば、ディスク情報が取得手段によって取得され、それと当該対応表とに基づいて、記録条件生成手段が記録ストラテジ及び該記録パワーの組み合わせを決定する。尚、当該対応表の記録場所は、記録条件生成手段が適宜参照可能であれば特に問わず、例えば情報記録媒体に予め記録されていてもよいし、情報記録装置のメモリに記録されていてもよいし、外部メモリに記録されているものをネットワーク経由で取得するようにしてもよい。【００３２】
この態様では、前記対応表には、前記ディスク情報に加えて、前記記録条件生成手段の外部から入力される条件選択信号と、前記組み合わせとの対応関係も予め定められていてもよい。【００３３】
このように構成すれば、ディスク情報のみならず、記録条件生成手段の外部から入力される条件選択信号、例えば、再生機器の種類も考慮したうえで、記録ストラテジ及び該記録パワーの組み合わせを決定することが可能となる。【００３４】
この態様では、当該情報記録媒体を再生する再生機器がプッシュプル信号を検出するものではない場合には、前記ランド部に対して一様に光照射を行わなくてもよい。【００３５】
このように構成すれば、不要な光照射を行わないので、記録品質の悪化を回避できる。【００３６】
本発明の情報記録方法は上記課題を解決するために、記録型の情報記録媒体のグルーブ部に情報を記録する情報記録方法であって、前記情報記録媒体の記録面のうち少なくとも再生設定領域に含まれるランド部には、光照射を受けて当該再生設定領域おけるプッシュプル信号の検出量を低下させるように光学的特性が変化する記録層が積層されており、前記少なくとも再生設定領域に含まれるランド部に対して一様に光照射を行う特性変更工程を備える。【００３７】
本発明の情報記録方法によれば、上述した本発明の情報記録装置の場合と同様に、グルーブ部及びランド部を形成する意義を保ちつつも再生互換性を好適に確保できる。【００３８】
尚、本発明の情報記録方法においても、上述した本発明の情報記録装置と同様の各種態様を採ることが可能である。【００３９】
本発明の情報記録媒体は上記課題を解決するために、グルーブ部に情報が記録される記録型の情報記録媒体であって、記録面のうち少なくとも再生設定領域に含まれるランド部には、光照射を受けて当該再生設定領域おけるプッシュプル信号の検出量を低下させるように光学的特性が変化する記録層が積層されている。【００４０】
本発明の情報記録媒体によれば、上述した本発明の情報記録装置によって、グルーブ部及びランド部を形成する意義を保ちつつも再生互換性を好適に確保できる。【００４１】
上記課題を解決するために、本発明のコンピュータプログラムは、上述した本発明の情報記録装置（但し、その各種態様を含む）としてコンピュータを機能させる。【００４２】
上記課題を解決するために、コンピュータ読取可能な媒体内のコンピュータプログラム製品は、コンピュータにより実行可能なプログラム命令を明白に具現化し、該コンピュータを、上述した本発明の情報記録装置（但し、その各種態様を含む）として機能させる。【００４３】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、当該コンピュータプログラム製品を、通信手段を介してコンピュータにダウンロードすれば、上述した本発明の情報記録装置を比較的容易に実施可能となる。更に具体的には、当該コンピュータプログラム製品は、上述した本発明の情報記録装置として機能させるコンピュータ読取可能なコード（あるいは、コンピュータ読取可能な命令）から構成されてよい。【００４４】
以上、説明したように、本発明の情報記録装置によれば、特性変更手段を備えるので、グルーブ部及びランド部を形成する意義を保ちつつも再生互換性を好適に確保できる。また、本発明の情報記録方法、情報記録媒体、あるいは、コンピュータプログラムによっても、同様の効果が得られる。【００４５】
本発明の作用及び他の利得は次に説明する実施例から明らかにされよう。
【図面の簡単な説明】
【００４６】
【図１】第1実施例に係る情報記録装置１の基本構成を示す構成図である。
【図２】第1実施例に係る光ディスク１００の基本構造を示した概略平面図、及び、該概略平面図に対応付けられた、その半径方向における記録領域構造の図式的概念図である。
【図３】比較例に係る光ディスク１００を示す拡大断面図である。
【図４】比較例に係る光ディスク１００のランド部１０５へのＤＣ記録パワーとＰＰｂとの関係を示す特性図である。
【図５】第1実施例に係る光ディスク１００を示す拡大断面図である。
【図６】第1実施例に係る光ディスク１００のランド部１０５へのＤＣ記録パワーとＰＰｂとの関係を示す特性図である。
【図７】比較例に係る光ディスク１００の記録面を示す拡大平面図である（ＤＣ記録前）。
【図８】第1実施例に係る光ディスク１００の記録面を示す拡大平面図である（ＤＣ記録後）。
【図９】ランド部１０５にＤＣ記録したときの、ＤＣ記録パワーに対するＰＰｂの変化を示す図表である。
【図１０】記録特性の悪化が抑えられるように対策を施した場合の評価結果を示す図表である。
【図１１】第1実施例に係る記録条件生成部２１０の基本構成を示す構成図である。
【図１２】第1実施例に係る記録条件生成部２１０のメモリ２１０２に格納された対応表の一例である。
【図１３】第1実施例に係る記録パルス生成部２１１の基本構成を示す構成図である（記録データの記録時）。
【図１４】第1実施例に係る記録パルス生成部２１１の基本構成を示す構成図である（ＤＣ記録時）。
【図１５】第1実施例に係るＰＵＨ２０２の基本構成を示す構成図である。
【図１６】第1実施例に係る情報記録装置１の第１基本動作を示すフローチャートである。
【図１７】第1実施例に係る情報記録装置１の第２基本動作を示すフローチャートである。
【図１８】第1実施例の変形例に係る光照射の態様を示す図である（ａ：ＤＣ記録、ｂ：正弦波、ｃ：矩形波）。
【図１９】第２実施例に係る記録条件生成部２１０の基本構成を示す構成図である。
【図２０】第２実施例に係る記録条件生成部２１０のメモリ２１０２に格納された対応表の一例である。
【図２１】第２実施例に係る情報記録装置１の基本動作を示すフローチャートである。
【符号の説明】
【００４７】
１  情報記録装置
１００  光ディスク
１０００  センターホール
２０１  駆動部
２０２  ＰＵＨ
２０３  スライダ部
２０４  プリ記録情報検出部
２０５  ＴＥ信号生成部
２０６  再生特性測定部
２０７  ディスク情報取得部
２０８  ドライブ部
２０９  記録パワー選択部
２１０  記録条件生成部
２１１  記録パルス生成部
１０１  リードインエリア
１０２  データエリア
１０３  リードアウトエリア
５０  トラック
５１  ＥＣＣブロック
１０５  ランド部
１０６  グルーブ部
１１１  基板
１１２１  色素層
１１２２  色素層
１１３  反射層
１１４  基板
２１０１  記録条件選択部
２１０２  メモリ
２１１１  記録パワー設定部
２１１２  記録ストラテジ設定部
２０２１  集光位置制御部
２０２２  集光部
２０２３  ビームスプリッター
２０２４  出射部
２０２５  受光部
【発明を実施するための最良の形態】
【００４８】
以下、本発明を実施するための最良の形態について実施例毎に順に図面に基づいて説明する。【００４９】
（１）第１実施例
（１−１）構成
図１は、第1実施例に係る情報記録装置１の基本構成を示す構成図である。【００５０】
図１に示すように、第1実施例に係る情報記録装置１は、以下の構成要素を備える。【００５１】
駆動部２０１は、プリ記録情報検出部２０４から送られてくるウォブル情報（例えばウォブル周波数）をもとに、光ディスク１００を回転させる。【００５２】
ＰＵＨ２０２は、主に出射部２０２４、受光部２０２５、ビームスプリッター２０２３、集光部２０２２及び集光位置制御部２０２１で構成されている（図１５参照）。【００５３】
スライダ部２０３は、ＰＵＨ２０２を、光ディスク１００の半径方向に移動する。【００５４】
プリ記録情報検出部２０４は、光ディスク１００に予め形成されているウォブルやＬＰＰ等のプリ記録情報を検出する。【００５５】
ＴＥ信号生成部２０５は、ＰＵＨ２０２から送られてくるＰＤ受光信号からＴＥ信号を作成し、ドライブ部２０８へ送る。【００５６】
再生特性測定部２０６は、OPC時に記録した部分の再生特性を測定し、測定結果を記録パワー選択部２０９へ送る。【００５７】
ディスク情報取得部２０７は、光ディスク１００に予め記録されている情報あるいはＬＰＰ情報から、ディスク情報（製造メーカー、型番、記録ストラテジ等）を取得する。【００５８】
ドライブ部２０８は、下記の状況に応じて、それぞれの場合における集光位置制御信号を作成し、ＰＵＨ２０２へ送る。
・データ記録時：ＴＥ信号生成部２０５から送られてくるＴＥ信号より、グルーブ部１０６（図５参照）にトラッキングする集光位置制御信号を作成する。
・ＤＣ記録時：ＴＥ信号生成部２０５から送られてくるＴＥ信号より、ランド部１０５（図５参照）にトラッキングする集光位置制御信号を作成する。【００５９】
記録パワー選択部２０９は、OPC用記録パワーと再生特性測定部２０６から送られてくる再生特性より、再生特性が最も良好となる記録パワーを選択し、記録パルス生成部２１１へ送る。【００６０】
記録条件生成部２１０は、ディスク情報をもとに、記録条件情報(記録ストラテジ情報及びＤＣ記録パワー)を用意し、記録パルス生成部２１１へ送る。【００６１】
記録パルス生成部２１１は、下記の状況に応じて、それぞれの場合における記録信号（記録パルス信号/ＤＣ記録信号）を生成し、ＰＵＨ２０２へ送る。
・OPC時：記録条件生成部２１０から送られてくる記録ストラテジ情報及びOPC用記録パワーから記録パルス信号を生成する。OPC用記録パワーとは、最適な記録パワーを求めるために段階的に変化する記録パワーである。すなわち、変化する記録パワーで記録された部分の特性を測定し、その特性が最も良好となる記録パワーとして求められる。
・データ記録時：記録条件生成部２１０から送られてくる記録ストラテジ情報及び記録パワー選択部２０９で選択された記録パワー情報より記録パルス信号を生成し、ＰＵＨ２０２へ送る。
・ＤＣ記録時：記録条件生成部２１０から送られてくるＤＣ記録パワーよりＤＣ記録信号を生成し、ＰＵＨ２０２へ送る。【００６２】
<光ディスク１００の構成>
次に、上述のように構成された光ディスク１００について、図２を用いて詳述する。ここで、図２は、第1実施例に係る光ディスク１００の基本構造を示した概略平面図、及び、該概略平面図に対応付けられた、その半径方向における記録領域構造の図式的概念図である。【００６３】
図２に示すように、光ディスク１００は、例えば、ＤＶＤと同じく直径１２ｃｍ程度のディスク本体上の記録面に、センターホール１０００を中心として（ｉ）パワーキャリブレーションエリアＰＣＡ、（ｉｉ）レコーディングマネージメントエリア（Recording Management Area）ＲＭＡ、（ｉｉｉ）コントロールデータゾーン（Control Data Zone）ＣＤＺとＮＢＣＡ（Narrow Burst Cutting Area）と、を有するリードインエリア１０１、（ｉｖ）データエリア１０２、（ｖ）リードアウトエリア１０３を備えている。【００６４】
光ディスク１００の基板上には、少なくとも一つの記録層が積層されている（図５参照）。この記録層の各記録領域には、例えば、センターホール１０００を中心にスパイラル状或いは同心円状に、トラック５０が設けられている。トラック５０では、グルーブ部１０６及びランド部１０５が交互に設けられている。トラック５０上には、記録情報（データ）がＥＣＣブロック５１という単位で分割されて記録される。ＥＣＣ（Error Correction Code）ブロック５１は、記録情報のエラー訂正が可能な記録情報の管理単位である。【００６５】
データエリア１０２には、ＣＳＳ等の暗号化システムに基づいたタイトルキー等の第１暗号化情報と、このタイトルキー等の第１暗号化情報によって暗号化された暗号化コンテンツが記録される。【００６６】
尚、本発明は、このような５つのエリアを有する光ディスクには特に限定されない。例えば、リードインエリア１０１、又はリードアウトエリア１０３が存在せずとも、以下に説明するデータ構造等の構築は可能である。また、リードインエリア１０１又はリードアウト１０３は更に細分化された構成であってもよい。【００６７】
<再生設定領域１０１ａの半径位置について>
次に、光ディスク１００に記録された記録情報を再生する際に、最初にアクセスされ、記録情報の再生を許可するか否かを識別するための再生設定領域１０１ａの半径位置について説明する。【００６８】
再生設定領域１０１ａには、次の２種類の半径位置のうちの少なくとも一方において、プッシュプル信号の検出量が所定値（すなわち、ＤＶＤ−Ｒ規格を満たす値）よりも小さくなるように光学的特性を変更可能なランド部１０５が含まれることが好ましい。
・1種類目は、光ディスクの中心から「22.3（mm：millimeter）〜35（mm）」までの半径位置である。
・２種類目は、光ディスクの中心から「22.6（mm）〜35（mm）」までの半径位置である。【００６９】
これは、次の６つ（＝２＋３＋１）の条件を満たす必要があるからである。【００７０】
まず、DVD-ＲＯＭの規格においては、次の２つの条件を満たすことが必要となる。
・リードインエリアの開始位置の半径位置は、光ディスクの中心から22.6（mm）より内周側に位置すること。
・情報が記録された記録エリアの最外周の部分の半径位置は、光ディスクの中心から35（mm）よりも外周側に位置すること。【００７１】
他方で、従来の単層型の記録型の光ディスク（所謂、DVD-R SL（Single Layer））及び２層型の記録型の光ディスク（所謂、DVD-R DL）の規定（規格）においては、次の３つの条件を満たすことが必要となる。
・記録管理エリア（所謂、レコーディングマネージメントエリア：Recording Management area）の開始半径位置は、光ディスクの中心から約22.3（mm）であること。
・リードインエリアの開始位置の半径位置は、光ディスクの中心から約22.6（mm）であること。
・情報が記録された記録エリアの最外周の部分の半径位置は、光ディスクの中心から35（mm）よりも外周側に位置すること。【００７２】
更に、例えば記録データ等の記録された記録情報を再生する際に、最初にアクセスされ、記録情報の再生を許可するか否かを判断し、記録メディアかどうかを識別するためにレーザ光がフォーカスインされる領域は、情報が記録済み状態の場所に設定されることが、迅速な再生動作を実現するために好ましい。【００７３】
以上より、上記２種類の半径位置のうちの少なくとも一方において、プッシュプル信号の検出量が所定値（すなわち、ＤＶＤ−Ｒ規格を満たす値）よりも小さくなるように光学的特性を変更可能なランド部１０５が含まれることが好ましいといえる。【００７４】
尚、少なくともグルーブトラックの溝の深さを浅くした再生設定領域等の記録エリアの一部、または、全体においてウォブルが存在しないストレートグルーブ形状にしてよい。或いは、ＤＶＤ−Ｒ規格で定められるウォブル周波数よりも十分高い（例えば２倍以上の）周波数を有するウォブルを形成してもよい。重要なのは、一般的なＤＶＤ−Ｒの再生装置でウォブルを検出できないような形状にしておくことが好ましい。これは、ディスクの種類判別の際に、プッシュプル信号の検出量のみならず、ウォブルの有無にも基づいて媒体判別を行う再生装置が存在する可能性があるためである。よって、例えばプッシュプル信号の検出量を上記の所定値よりも小さくし、且つウォブリングが検出不能に構成することにより、再生装置にＤＶＤ−ＲＯＭディスクであると識別させる可能性が高まるのである。【００７５】
<光ディスク１００の積層構造>
比較例に係る光ディスク１００の積層構造と、本実施例に係るそれとを比較して、本実施例に係る光ディスク１００の積層構造（特にランド部１０５）の構造に求められる要件について検討する。特に、図３及び図４を参照して、プッシュプル信号の検出量が所定値（すなわち、ＤＶＤ−Ｒ規格を満たす値）よりも小さくなるように光学的特性を変更可能なランド部１０５について検討する。ここで、図３は、比較例に係る光ディスク１００を示す拡大断面図である。図４は、比較例に係る光ディスク１００のランド部１０５へのＤＣ記録パワーとＰＰｂとの関係を示す特性図である。【００７６】
図３に示すように、比較例に係る光ディスク１００は、基盤１１４、反射層１１３、色素層１１２１、及び基板１１１が積層された構造である。グルーブ部１０６には色素層１１２１が積層されている。ＰＵＨ２０２の出射部２０２４から出射されるレーザ光を受けて、グルーブ部１０６に積層された色素層１１２１が熱分解することにより、データは記録される。他方で、ランド部１０５には色素層１１２１が全くあるいは殆ど積層されていない。この状態で、ランド部１０５に対してＤＣ記録を行うと、図４に示すように、ＤＣ記録パワーの増加に応じて、ＰＰｂ（ＰＰｂ：記録データを記録する前のプッシュプル信号の大きさ）も増加してしまうことが、本願発明者の研究により判明している。【００７７】
そこで、第1実施例に係る光ディスク１００では、以下のような積層構造を採用する。図５は、第1実施例に係る光ディスク１００を示す拡大断面図である。図６は、第1実施例に係る光ディスク１００のランド部１０５へのＤＣ記録パワーとＰＰｂとの関係を示す特性図である。【００７８】
図５に示すように、第1実施例に係る光ディスク１００では、比較例と異なり、ランド部１０５にも色素層１１２２が積層されている。この状態で、ランド部１０５に対してＤＣ記録を行うと、図６に示すように、ＤＣ記録パワーの増加に応じて、ＰＰｂは減少することが、本願発明者の研究により判明している。より詳しくは、図６は、記録データの記録を行っていない未記録のＤＶＤ−ＲのＤＬＬ１層に対し、ランド部１０５にＤＣ記録（V=3.84[m/s]：１倍速相当）したとき、ＤＣ記録パワーに対するＰＰｂの変化を示す。図６によると、ランド部１０５にＤＣ記録すると、ＤＣ記録パワーの増加に応じて、ＰＰｂは小さくなっている。これは、ランド部１０５にＤＣ記録することでランド部１０５の記録層の屈折率が変化し、グルーブ部１０６とランド部１０５の光学的距離の差が変化することに起因すると考えられる。【００７９】
したがって、プッシュプル信号の検出量を減少させるためには、グルーブ部１０６のみならずランド部１０５にも、色素層１１２２が積層されていることが望ましいといえる。【００８０】
このように色素層１１２２が積層されているランド部１０５に対しても、レーザ光を照射することで、以下のメリットを受けうる。ここで、図７は、比較例に係る光ディスク１００の記録面を示す拡大平面図である（ＤＣ記録前）。図８は、第1実施例に係る光ディスク１００の記録面を示す拡大平面図である（ＤＣ記録後）。【００８１】
図７に示すように、比較例に係る光ディスク１００（例えば、DVD−Ｒに代表される記録型光ディスク）は、記録データを記録マーク１０７としてグルーブ部１０６に記録する。一方、グルーブ部１０６とグルーブ部１０６の間のランド部１０５には記録しない。【００８２】
他方で、図８に示すように、第１実施例に係る光ディスク１００は、通常記録を行わないランド部１０５の記録層に例えばＤＣ記録することで、色素層１１２２の屈折率を一様に変化させ、もってプッシュプル信号の検出量を制御できる。この実験結果を、図９に示す。ここで、図９は、ランド部１０５にＤＣ記録したときの、ＤＣ記録パワーに対するＰＰａ（ＰＰａ：記録データを記録した後のプッシュプル信号の大きさ）の変化を示す図表である。より詳しくは、図９は、記録データが記録されている光ディスク１００の記録面（例えばＤＶＤ−ＲのＤＬＬ１層）に対し、ランド部１０５にＤＣ記録（V=3.84[m/s]：１倍速相当）したときのＤＣ記録パワーに対するＰＰａ及び記録部のジッター値の変化を示す。【００８３】
図９に示すように、ＤＣ記録パワーが5.3[ｍＷ]の場合、記録特性に影響することなく（ジッター値が変化することなく）ＰＰａを減少させることが可能である。【００８４】
ところが、ＤＣ記録パワーが5.8[ｍＷ]の場合、ＰＰａを減少させることが可能であるものの、ＤＣ記録による影響で記録特性が（ジッター値が8.3%から10.3%に）悪化している。
これは、ランド部１０５の屈折率が変化することで、短い記録マークの長さが長い記録マークに対して相対的に短くなるからと考えられる。【００８５】
そこで、図１０を参照して以下の対策について検討する。図１０は、記録特性の悪化が抑えられるように対策を施した場合の評価結果を示す図表である。より詳しくは、記録特性の悪化が抑えられるように記録データを記録する記録ストラテジを変更した際に、ランド部１０５へＤＣ記録(5.8[mW])をした後の、記録特性の比較評価結果（記録ストラテジの変更前と変更後）を示す。【００８６】
図１０に示すように、ランド部１０５へのＤＣ記録による記録特性の悪化は、記録データを記録する記録ストラテジを変更することで抑えられる。より詳しくは、記録データを記録する記録ストラテジのうち、最短記録マーク(3Ttop)を記録する記録パルスのパルス幅を2.25Tから2.30Tへと0.05T長くすると、記録ストラテジを変更する前と同様に、ＰＰａを減少させることが可能である。この際、記録ストラテジの変更のおかげで、ジッター値が１０．３から９．１に抑えられている。【００８７】
したがって、記録ストラテジ設定部２１１２が記録ストラテジを変更することで、記録品質を維持しつつよりＰＰａを一層減少できる。【００８８】
なお、記録ストラテジの変更にあたり、上述のように最短マークを変更するほかに、長マークの記録条件を記録パルスの種類に応じて以下のように変更してもよい。
・記録パルスがDVD-Rの1倍速記録で採用されているマルチパルスの場合、マルチパルスの長さを短くするようにしてもよい。
・記録パルスがDVD-Rの4倍速記録で採用されているノンマルチパルスの場合、中間バイアス部の記録パワーPmを小さくする、あるいは、記録パルスの幅Twを短くするようにしてもよい。【００８９】
いずれにせよ、プッシュプル信号の検出量を減少させるために、長記録マークに対して相対的に短くなった短記録マークの長さを、元の関係に戻す（つまり、相対的に短くなった分、長くする）ように記録ストラテジを変更すれば、記録特性の悪化は抑えられる。【００９０】
<各構成要素の詳細な構成>
図１１は、第1実施例に係る記録条件生成部２１０の基本構成を示す構成図である。【００９１】
図１１に示すように、記録条件生成部２１０は、記録条件選択部２１０１と、メモリ２１０２とを備える。より詳しくは、ディスク情報取得部２０７から送られてくるディスク情報と、メモリ２１０２に予め記憶されている対応表（図１２参照）とに基づいて、記録条件選択部２１０１は記録条件情報(記録ストラテジ情報とＤＣ記録パワー)を選択し、記録パルス生成部２１１へ出力する。【００９２】
図１２は、第1実施例に係る記録条件生成部２１０のメモリ２１０２に格納された対応表の一例である。【００９３】
図１２に示すように、メモリ２１０２に記憶されている対応表によれば、記録対象となる光ディスク１００がＹ社製のＤＶＤ−ＸＸＸである場合に、記録条件生成部２１０は、記録ストラテジ情報としてＳＴＧ  Ｙ１を選択し、ＤＣ記録パワーとして７［ｍＷ］を選択できる。このようにして、ディスク情報に応じた適切な記録条件が選択される。尚、この種の対応表は、メモリ２１０２に予め記録されていなくとも、情報記録媒体あるいはネットワークを介して都度取得するようにしてもよい。記録条件選択部２１０１は、記録を行う光ディスク１００やネットワーク等から記録条件情報を直接取得するようにしてもよい。【００９４】
図１３は、第1実施例に係る記録パルス生成部２１１の基本構成を示す構成図である（記録データの記録時）。【００９５】
図１３に示すように、記録パルス生成部２１１は、記録ストラテジ設定部２１１２と、記録パワー設定部２１１１とを備える。記録データの記録時には、記録ストラテジ設定部２１１２と、記録パワー設定部２１１１との間のスイッチがオンにされている。そこで先ず、記録ストラテジ設定部２１１２は、記録条件生成部２１０から送られてくる記録条件情報とに基づいて、記録ストラテジを設定する。記録パワー設定部２１１１は、記録パワー選択部２０９から送られてくる記録パワー情報に基づいて、最適記録パワーを設定する。記録データの記録パルス信号は、上述のように設定された記録ストラテジ及び最適記録パワーに基づいて生成され、ＰＵＨ２０２に入力される。【００９６】
図１４は、第1実施例に係る記録パルス生成部２１１の基本構成を示す構成図である（ＤＣ記録時）。【００９７】
図１４に示すように、ＤＣ記録時には、記録データは不要なので、記録ストラテジ設定部２１１２と、記録パワー設定部２１１１との間のスイッチがオフにされている。そこで、記録パワー設定部２１１１は、記録条件生成部２１０から送られてくるＤＣ記録パワー情報に基づいて、記録パワーを設定する。【００９８】
図１５は、第1実施例に係るＰＵＨ２０２の基本構成を示す構成図である。【００９９】
図１５に示すように、ＰＵＨ２０２は、集光位置制御部２０２１、集光部２０２２、ビームスプリッター２０２３、出射部２０２４、及び、受光部２０２５を備える。集光位置制御部２０２１は、ドライブ部２０８から送られてくる集光位置制御信号によって、データ記録時はグルーブ部に、ＤＣ記録時はランド部に光スポット（すなわち、光ディスク上に集光されたレーザ光）が夫々トラッキングするように集光部２０２２を制御する。尚、データ再生時はグルーブ部にトラッキングする。記録パルス生成部２１１によって生成された記録パルスに従って出射部２０２４から出射されるレーザ光は、ビームスプリッター２０２３によって反射され、集光部２０２２によって光ディスク１００上に集光される。その戻り光は、集光部２０２２、及びビームスプリッター２０２３を透過して、受光部２０２５で受光される。このＰＤ受光信号は、プリ記録情報検出部２０４、ＴＥ信号生成部２０５、再生特性測定部２０６、及び、ディスク情報取得部２０７に夫々送られる。【０１００】
尚、図１５の下側に示す受光部２０２５において、半径方向（ラジアル方向）が、領域１Ａと領域１Ｂとに沿った方向によって示され、接線方向（タンジェンシャル方向）が、領域１Ａと領域１Ｄとに沿った方向によって示されている。プッシュプル信号の値は、典型的には（１ａ＋１ｄ）−（１ｂ＋１ｃ）なる信号の振幅（Ｐｅａｋ・ｔｏ・ｐｅａｋ値）として検出される。成分（１ａ＋１ｄ）は、読取方向に対して左側の領域１Ａ及び１ＤにおけるＰＤ受光信号に対応する一方、成分（１ｂ＋１ｃ）は、読取方向に対して右側の領域１Ｂ及び１ＣにおけるＰＤ受光信号に対応する。【０１０１】
尚、本実施例と本発明との対応関係については以下のとおりである。すなわち、光ディスク１００が「記録型の情報記録媒体」の一例であり、グルーブ部１０６が「グルーブ部」の一例であり、情報記録装置１が「情報記録装置」の一例であり、再生設定領域１０１ａが「再生設定領域」の一例であり、ランド部１０５が「ランド部」の一例であり、色素層１１２２がランド部に積層される「記録層」の一例であり、ＰＵＨ２０２が「特性変更手段」の一例であり、記録ストラテジ設定部２１１２が「短マーク変更手段」及び「長マーク変更手段」の一例であり、ディスク情報取得部２０７が「ディスク情報を取得する取得手段」の一例であり、記録条件生成部２１０が「記録条件生成手段」の一例である。【０１０２】
（１−２）動作
上記のように構成された第1実施例に係る情報記録装置１の基本動作について、以下に説明を加える。ここで、図１６は、第1実施例に係る情報記録装置１の第１基本動作を示すフローチャートである。図１７は、第1実施例に係る情報記録装置１の第２基本動作を示すフローチャートである。【０１０３】
図１６に示すように、第1実施例に係る情報記録装置１は、記録データの記録に先立ち、記録データを記録する記録ストラテジを用いて、記録データの記録を行う最適記録パワーを探索する。具体的には、ディスク情報取得部２０７によってディスク情報が取得され（ステップＳ１０１）、記録条件生成部２１０によって記録ストラテジ情報を含む記録条件情報が生成され（ステップＳ１０２）、この情報に基づいてＯＰＣ（Optimum Power Control）処理が行われ（ステップＳ１０３）、最適記録パワーが取得される（ステップＳ１０４）。【０１０４】
その後、図１７に示すように、グルーブ部１０６への記録データの記録が行われ（ステップＳ２０１）、ランド部１０５へのＤＣ記録が行われる（ステップＳ２０２）。【０１０５】
この際特に、以下の理由から、ランド部１０５へのＤＣ記録は、グルーブ部１０６への記録データの記録の後に行う方が好ましい。すなわち、図６及び図９で示したように、プッシュプル信号の検出量は、記録データの記録前（つまりＰＰｂ）及び記録後（つまりＰＰａ）の何れの場合であっても、ランド部１０５へのＤＣ記録によって減少する。一方、記録データを記録する際、プッシュプル信号の検出量が大きいほどトラッキングは安定する。したがって、ランド部１０５へのＤＣ記録は、記録データの記録後に行う方が望ましい。この結果、良好な記録特性を確保できる。ただし、ランド部１０５へのＤＣ記録が記録データに与える影響に鑑みて、ランド部１０５へのＤＣ記録を、記録データの記録前に行ってもよい。また、ランド部へのＤＣ記録は、ファイナライズ時、あるいはデータ記録の待機時に行うようにしてもよい。【０１０６】
<変形例>
図１８は、第1実施例の変形例に係る光照射の態様を示す図である（ａ：ＤＣ記録、ｂ：正弦波、ｃ：矩形波）。【０１０７】
図１８に示すように、プッシュプル信号の検出量を減少させるためのランド部１０５への光照射は、ランド部１０５の記録層の屈折率を変化させ、プッシュプル信号の検出量を減少可能な限りにおいて、ＤＣ記録のように記録パワーがほぼ一定にする態様(図１８(a)参照)のみならず、例えば、正弦波状(図１８(b)参照)あるいは矩形波状(図１８(c)参照)に記録パワーを変化させる態様としてもよい。【０１０８】
尚、図６より、ＤＣ記録パワーが5.3[ｍＷ]の場合、ＰＰｂは0.192から0.186へと約３％減少することが判明している。一方、図９より、ＤＣ記録パワーが5.3[ｍＷ]の場合、ＰＰａは0.251から0.213へと約３％を大きく上回る割合で減少することが判明している。言い換えれば、記録データを記録する前の状態において、ランド部１０５にＤＣ記録することで、ＰＰｂが３％程度小さくなる光ディスク１００であれば、記録データを記録した後にランド部にＤＣ記録することで、ＰＰａを大幅に減少できるといえる。【０１０９】
（２）第２実施例
続いて、第２実施例に係る情報記録装置１の構成及び動作処理を図面を参照して説明する。尚、第２実施例に係る構成と同様のものに関しては同一の符号を付し詳細な説明を適宜省略する。【０１１０】
図１９は、第２実施例に係る記録条件生成部２１０の基本構成を示す構成図である。【０１１１】
図１９に示すように、記録条件生成部２１０は、記録パルス生成部２１１へ出力する記録条件情報を、外部から入力される条件選択信号に応じて選択する。例えば、条件選択信号が、記録済み光ディスク１００を再生する再生機器の種類(ＤＶＤ−Ａ、ＤＶＤ−Ｂ、・・・)を示す場合、メモリ２１０２に記憶されている対応表は、図２０のようになる。【０１１２】
図２０は、第２実施例に係る記録条件生成部２１０のメモリ２１０２に格納された対応表の一例である。【０１１３】
図２０に示すように、メモリ２１０２に記憶されている対応表によれば、記録対象となる光ディスク１００がＹ社製のＤＶＤ−ＸＸＸである場合であって、かつ、再生機器がＤＶＤ−Ｂである場合、記録条件生成部２１０は、記録ストラテジ情報としてＳＴＧ  ＢＹ１を選択し、ＤＣ記録パワーとして７［ｍＷ］を選択する。このようにして、ディスク情報に応じた適切な記録条件が選択される。【０１１４】
図２１は、第２実施例に係る情報記録装置１の基本動作を示すフローチャートである。【０１１５】
図２１に示すように、条件選択信号に応じて認知された再生機器が、プッシュプル信号を検出しないものであると判断される場合には、ランド部１０５へＤＣ記録を行う必要はない。そこで、第２実施例においては、グルーブ部１０６への記録データの記録が行われると（ステップＳ２０１）、ランド部１０５へのＤＣ記録が必要か否かが、条件選択信号に基づいて判断される（ステップＳ２０１５）。再生機器がプッシュプル信号を検出する場合には、ランド部１０５へのＤＣ記録が必要であるので（ステップＳ２０１５：ＹＥＳ）、ランド部１０５へのＤＣ記録が行われる（ステップＳ２０２）。一方、再生機器がプッシュプル信号を検出しない場合には、ランド部１０５へのＤＣ記録は必要ないので（ステップＳ２０１５：ＮＯ）、ランド部１０５へのＤＣ記録は行われない。【０１１６】
したがって、ランド部１０５へのＤＣ記録を必要以上に行うことがないので、処理負荷が軽減されるほか、記録特性の悪化も極力回避できる。【０１１７】
また、記録条件情報にＤＣ記録を行う範囲を含むようにし、指定された範囲のみＤＣ記録を行うようにしてもよい。【０１１８】
以上説明したように、本実施例に係る情報記録装置１によると、記録型の光ディスク１００に対して、ＣＳＳによって著作権が保護されたコンテンツの記録を行う場合に、大変有効である。すなわち、光ディスク１００が記録型であっても、そのランド部１０５の光学的特性を変化させることで、プッシュプル信号の検出量を減少させ、もって、再生装置で再生した場合の互換性を向上可能である。【０１１９】
尚、本発明は、上述した実施例に限られるものではなく、請求の範囲及び明細書全体から読み取れる発明の要旨、或いは思想に反しない範囲で適宜変更可能であり、そのような変更を伴うもまた、本発明の技術的範囲に含まれるものである。【０１２０】
例えば、上述した実施例では、情報記録媒体の一具体例として、例えばブルーレイ、赤色ＬＤ光、又は赤外光等のレーザ光によって記録又は再生が可能な、単層型の光ディスクについて説明した。加えて、本発明は、例えば、２層以上の記録層を備える多層型（マルチプルレイヤ型）の光ディスクにも適用可能である。更に、他の高密度記録或いは高転送レート対応の各種の情報記録媒体にも適用可能である。【０１２１】
また、上述した実施例では、情報記録媒体として特にＤＶＤ−Ｒに本発明を適用させた場合について記載したが、これに限定されるものではなく、ＤＶＤ−ＲＷ、ＤＶＤ＋Ｒ、ＤＶＤ＋ＲＷに対しても適用可能である。【０１２２】
また、ＤＣ記録用の光学系を別途用意し、グルーブ部へのデータ記録とランド部へのＤＣ記録を同時に行うようにしてもよい。
【産業上の利用可能性】
【０１２３】
本発明に係る情報記録媒体及び情報記録媒体は、例えばＤＶＤ（Digital Versatile Disc）、ＢＤ（Blu-ray Disc）、ＣＤ（Compact Disc）等のレーザ光を照射することによって記録及び再生が可能な光ディスク等の情報記録媒体に利用可能であり、また当該情報記録媒体に対して情報を記録するための情報記録装置等の技術分野に利用可能である。
【図１】
2009028086.tif 000003
【図２】
2009028086.tif 000004
【図３】
2009028086.tif 000005
【図４】
2009028086.tif 000006
【図５】
2009028086.tif 000007
【図６】
2009028086.tif 000008
【図７】
2009028086.tif 000009
【図８】
2009028086.tif 000010
【図９】
2009028086.tif 000011
【図１０】
2009028086.tif 000012
【図１１】
2009028086.tif 000013
【図１２】
2009028086.tif 000014
【図１３】
2009028086.tif 000015
【図１４】
2009028086.tif 000016
【図１５】
2009028086.tif 000017
【図１６】
2009028086.tif 000018
【図１７】
2009028086.tif 000019
【図１８】
2009028086.tif 000020
【図１９】
2009028086.tif 000021
【図２０】
2009028086.tif 000022
【図２１】
2009028086.tif 000023
【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
記録型の情報記録媒体のグルーブ部に情報を記録する情報記録装置であって、
前記情報記録媒体の記録面のうち少なくとも再生設定領域に含まれるランド部には、光照射を受けて当該再生設定領域におけるプッシュプル信号の検出量を低下させるように光学的特性が変化する記録層が積層されており、
前記少なくとも再生設定領域に含まれるランド部に対して一様に光照射を行う特性変更手段を備える
ことを特徴とする情報記録装置。
【請求項２】
前記特性変更手段は、前記ランド部に対する一様な光照射を前記グルーブ部に情報を記録した後に行う
ことを特徴とする請求項１に記載の情報記録装置。
【請求項３】
前記特性変更手段は、前記少なくとも再生設定領域に含まれるランド部に対して一様に光照射を行うために、前記光照射における記録パワーを一定に保つ
ことを特徴とする請求項２に記載の情報記録装置。
【請求項４】
前記特性変更手段は、当該再生設定領域おけるプッシュプル信号の検出量を低下させるために、前記光照射における記録パワーを周期的に変化させる
ことを特徴とする請求項２に記載の情報記録装置。
【請求項５】
前記グルーブ部に情報を記録マークとして記録するにあたり、前記記録マークのうち最短記録マーク用の記録パルスのパルス幅を相対的に増加させるように記録ストラテジを変更する短マーク変更手段を更に備える
ことを特徴とする請求項２に記載の情報記録装置。
【請求項６】
前記グルーブ部に情報を記録マークとして記録するにあたり、前記記録マークのうち長マークの記録パルスのパルス幅を相対的に低下させるように記録ストラテジを変更する長マーク変更手段を更に備える
ことを特徴とする請求項２に記載の情報記録装置。
【請求項７】
前記長マークの記録パルスがマルチパルスである場合、
前記長マーク変更手段は、該マルチパルスのパルス幅を相対的に低下させるように前記記録ストラテジを変更する
ことを特徴とする請求項６に記載の情報記録装置。
【請求項８】
前記長マークの記録パルスがノンマルチパルスである場合、
前記長マーク変更手段は、当該記録パルスの中間バイアス部の記録パワー又はパルス幅を相対的に低下させるように前記記録ストラテジを変更する
ことを特徴とする請求項６に記載の情報記録装置。
【請求項９】
前記情報記録媒体に予め記録されているディスク情報を取得する取得手段と、
前記グルーブ部に情報を記録するための記録ストラテジ、及び、前記ランド部に対して一様に光照射を行うための記録パワーの組み合わせと、前記取得されるディスク情報との対応関係が予め定められた対応表に基づいて、該組み合わせを決定する記録条件生成手段とを更に備える
ことを特徴とする請求項２に記載の情報記録装置。
【請求項１０】
前記対応表には、前記ディスク情報に加えて、前記記録条件生成手段の外部から入力される条件選択信号と、前記組み合わせとの対応関係も予め定められている
ことを特徴とする請求項９に記載の情報記録装置。
【請求項１１】
当該情報記録媒体を再生する再生機器がプッシュプル信号を検出するものではない場合には、前記ランド部に対して一様に光照射を行わない
ことを特徴とする請求項２に記載の情報記録装置。
【請求項１２】
記録型の情報記録媒体のグルーブ部に情報を記録する情報記録方法であって、
前記情報記録媒体の記録面のうち少なくとも再生設定領域に含まれるランド部には、光照射を受けて当該再生設定領域おけるプッシュプル信号の検出量を低下させるように光学的特性が変化する記録層が積層されており、
前記少なくとも再生設定領域に含まれるランド部に対して一様に光照射を行う特性変更工程を備える
ことを特徴とする情報記録方法。
【請求項１３】
グルーブ部に情報が記録される記録型の情報記録媒体であって、
記録面のうち少なくとも再生設定領域に含まれるランド部には、光照射を受けて当該再生設定領域おけるプッシュプル信号の検出量を低下させるように光学的特性が変化する記録層が積層されている
ことを特徴とする情報記録媒体。
【請求項１４】
請求項１乃至１１のいずれかに記載された情報記録装置としてコンピュータを機能させることを特徴とするコンピュータプログラム。
【国際調査報告】
2009028086.tif 000024
2009028086.tif 000025
2009028086.tif 000026